(57)【要約】【課題】軒樋支持具の製作に必要な材料を軽減し、さらに製作の時間やコストが軽減された軒樋支持具を提供する。【解決手段】前部に前耳保持部１２を有し、後部に後耳保持部１３を有した樋支持具本体１と、樋支持具本体１を前後方向の所望の位置で固定する固定部２０と、固定部２０を介して樋支持具本体１０を支持する取付足部３０とを備えた軒樋支持具１において、樋支持具本体１は線状材で形成されバネ性を有しており、樋支持具本体１と固定部２０のそれぞれには、前後方向の段階的な位置で相互に係合、固定する係合部１１，２１を備え、一方の係合部が凸部、他方の係合部が凹部である。【選択図】図１
2020007731.tif 000002
【特許請求の範囲】
【請求項１】
前部に前耳保持部を有し、後部に後耳保持部を有した樋支持具本体と、該樋支持具本体を前後方向の所望の位置で固定する固定部と、該固定部を介して前記樋支持具本体を支持する取付足部とを備えた軒樋支持具において、
前記樋支持具本体は線状材で形成されバネ性を有しており、
前記樋支持具本体と前記固定部のそれぞれには、前後方向の段階的な位置で相互に係合、固定する係合部を備え、
一方の係合部が凸部、他方の係合部が凹部であることを特徴とする軒樋支持具。
【請求項２】
請求項１において、
前記固定部はバネ性を有しており、該固定部の下方は開口されていることを特徴とする軒樋支持具。
【請求項３】
請求項１又は２において、
前記固定部の係合部の上方には、ストッパー部が設けられていることを特徴とする軒樋支持具。
【発明の詳細な説明】
【技術分野】
【０００１】
本発明は、固定部を介して樋支持具本体を支持する取付足部を備えた軒樋支持具に関する。
【背景技術】
【０００２】
従来より、前後方向の位置調整手段を有する樋支持具が提案されている（たとえば、特許文献１）。このような軒樋支持具は、所望位置に位置決めした後は、ロックレバーの回動操作により樋支持具本体が移動しないよう強固に固定することが可能である。
【先行技術文献】
【特許文献】
【０００３】
【特許文献１】特開２０００−３２００９４号公報
【発明の概要】
【発明が解決しようとする課題】
【０００４】
ところで、特許文献１のような樋支持具は、ステンレス等の金属板のプレス加工や、樹脂材料から形成されているので、多くの材料が必要である。また、特許文献１のような樋支持具は、ロックレバーのような部材が必要となるので、コストや時間がかかるものであった。
【０００５】
本発明は、このような事情を鑑みて提案されたものであり、その目的は、軒樋支持具の製作に必要な材料を軽減し、さらに製作の時間やコストが軽減された軒樋支持具を提供することにある。
【課題を解決するための手段】
【０００６】
上記目的を達成するために、本発明に係る軒樋支持具は、前部に前耳保持部を有し、後部に後耳保持部を有した樋支持具本体と、該樋支持具本体を前後方向の所望の位置で固定する固定部と、該固定部を介して前記樋支持具本体を支持する取付足部とを備えた軒樋支持具において、前記樋支持具本体は線状材で形成されバネ性を有しており、前記樋支持具本体と前記固定部のそれぞれには、前後方向の段階的な位置で相互に係合、固定する係合部を備え、一方の係合部が凸部、他方の係合部が凹部であることを特徴とする。
【０００７】
また、本発明に係る軒樋支持具は、前記固定部はバネ性を有しており、該固定部の下方は開口されてもよい。
【０００８】
そして、本発明に係る軒樋支持具は、前記固定部の係合部の上方には、ストッパー部が設けられてもよい。
【発明の効果】
【０００９】
本発明に係る軒樋支持具は、上述のような構成となっているので、樋支持具本体は線状材で形成されるので製作に使用する材料が低減され、また線状材の加工は容易なので、低コスト化が図られる。また、ロックレバーのような部材が無くても、樋支持具本体を固定部に固定できるので、部品数を削減でき、さらなる低コスト化が図られる。
【図面の簡単な説明】
【００１０】
【図１】本発明の一実施形態に係る軒樋支持具の斜視図である。
【図２】（ａ）〜（ｄ）は、固定部に樋支持具本体を取り付ける手順を示した模式正面図である。
【図３】（ａ）は、軒樋支持具の側面図、（ｂ）は、（ａ）のＸ−Ｘ線矢視図における模式断面図、（ｃ）〜（ｅ）は、樋支持具本体の前後方向の位置調整の手順を示した説明図である。
【図４】（ａ）〜（ｄ）軒樋の耳部を樋支持具本体の後耳保持部に取り付ける手順の説明を示した要部拡大側面図、（ｅ）〜（ｆ）は、それぞれ保持片部の変形例を示した要部拡大側面図である。
【図５】（ａ），（ｃ），（ｅ）は、それぞれ他の実施形態を示した図３（ａ）のＸ−Ｘ線矢視図に相当する模式断面図、（ｂ）は（ａ）のＹ１−Ｙ１線矢視図における模式断面図、（ｄ）は（ｃ）のＹ２−Ｙ２線矢視図における模式断面図、（ｆ）は、（ｅ）の実施形態における樋支持具本体の前後方向の位置調整を示した説明図である。
【図６】（ａ）は、他の実施形態における固定具の正面図、（ｂ）は、（ａ）のＺ−Ｚ線矢視図における模式断面図、（ｃ），（ｄ）は、それぞれ他の実施形態における固定具の正面図である。
【発明を実施するための形態】
【００１１】
以下に、本発明の実施の形態に係る軒樋支持具について、添付図面にもとづいて説明する。まず、基本構成について説明する。なお、軒先に軒樋支持具を取り付けた状態を基準にして、前後方向、幅方向、高さ方向等を説明する。また、一部の図では、他図に付している詳細な符号の一部を省略している。
【００１２】
軒樋支持具１は、前部に前耳保持部１２を有し、後部に後耳保持部１３を有した樋支持具本体１０と、樋支持具本体１０を前後方向の所望の位置で固定する固定部２０と、固定部２０を介して樋支持具本体１０を支持する取付足部３０とを備えている。また、樋支持具本体１０は線状材で形成されバネ性を有しており、樋支持具本体１０と固定部２０のそれぞれには、前後方向の段階的な位置で相互に係合、固定する係合部１１，２１を備え、一方の係合部が凸部、他方の係合部が凹部である。
【００１３】
次に、一実施形態に係る軒樋支持具１について詳述する。
【００１４】
樋支持具本体１０は、断面形状が略円形の一本の線状材が折曲されて前後に長いループ状に形成されている。樋支持具本体１０の前後方向の中央付近には係合部１１が形成されており、係合部１１は、幅方向の外側に向かって突出するように折曲されて形成された複数の凸部１１ａが前後方向に略等間隔に形成されることによって、連続凹凸形状となっている。樋支持具本体１０はバネ性を有しているので、幅方向外側より外力が加えられることによって弾性変形し、外力が加えられなくなると初期状態に復帰する。なお、線状材は、折曲させて形成された樋支持具本体１０にバネ性を有させるものであれば、線状材の断面形状は略円形のものに限定されることはなく、線状材の材料は、金属材料や樹脂材料等が適宜選択される。
【００１５】
樋支持具本体１０の前部には、軒樋５の耳部５ａを保持するための前耳保持部１２が形成されている。また、樋支持具本体１０の後部には、軒樋５の耳部５ｂを保持するための後耳保持部１３が形成されている。この前耳保持部１２と後耳保持部１３とにより、軒樋支持具１に軒樋５が固定される。
【００１６】
前耳保持部１２は、樋支持具本体１０の前部先端を上方向に向けて略直角に折曲されて形成された係止部１２ａを有している。樋支持具本体１０の後部は、上方に折曲されて内方側片部１３ａが形成され、内方側片部１３ａから後方に折曲されて上辺部１３ｂが形成され、上辺部１３ｂから下方に折曲されて外方側片部１３ｃが形成された後耳保持部１３を有している。後耳保持部１３は、樋支持具本体１０の後部を下方が開放された逆Ｕ字状に折曲形成されることで耳部５ｂを収容する耳部収容空間１４を有しており、さらに耳部収容空間１４の下方において、前後方向内方を向くよう折曲形成されたバネ性を有する保持片部１５を有している。
【００１７】
本実施形態の保持片部１５は、図３（ａ）に示すように前方に向けて上り傾斜した形状とされているが、これに限定されることはなく、例えば、後耳保持部１３の上辺部１３ｂと略平行となるように形成されてもよい。この樋支持具本体１０に用いられる線状材の径を大きくすることによって、樋支持具本体１０の強度を高めることができ、線状材の径を小さくすることによって、樋支持具本体１０の軽量化を図るだけでなく、保持片部１５のバネ性を高めることができる。また、保持片部１５が折曲形成されることで、保持片部１５の先端と内方側片部１３ａとの間に設けられる間隙ｗは、耳部５ｂが脱落しない大きさとなっている。また、本実施形態の前耳保持部１２の係止部１２ａは、上方向に向けて略直角に折曲されて形成されているが、これに限定されることはなく、前方に向けて上り傾斜した形状で折曲されて形成されてもよい。
【００１８】
固定部２０は、バネ性を有する一枚の板材が、下方に開口２２が形成されるように逆Ｕ字状に折曲されて形成されている。固定部２０の側壁部２０ａには、側壁部２０ａに貫通して開設された複数の係合部２１が形成されており、樋支持具本体１０の係合部１１の凸部１１ａが係合されて固定するようになっている。そのため、固定部２０の係合部２１は、樋支持具本体１０の係合部１１の凸部１１ａが係合する大きさに形成されており、また、凸部１１ａ，１１ａと略同じ間隔で係合部２１，２１が前後方向に形成されている。また、固定部２０の前後寸法も、樋支持具本体１０の凸部１１ａと干渉しないような寸法関係となっている。側壁部２０ａの下端には、幅方向内側を向くようにＪ字状に湾曲して形成された保持部２０ｂが形成されている。保持部２０ｂの湾曲した部位に樋支持具本体１０が収容されるので、樋支持具本体１０が固定部２０から脱落するのを防止することができる。なお、側壁部２０ａの下端を、幅方向内側を向くようにＬ字状に直角に折曲し、保持部２０ｂに樋支持具本体１０が収容される湾曲した部位が形成されてなくてもよい。
【００１９】
取付足部３０は、軒先４等に固定される取付基板３１と、その上端中央から前方に向けて延びた連結片部３２とを備えている。連結片部３２の前方には固定部２０をネジ等の固着具によって固定するための挿通孔が設けられている（不図示）。
【００２０】
ついで、固定部２０に樋支持具本体１０を取り付ける。
図２（ａ）に示すように、固定部２０の開口２２は、幅方向にｓ１の大きさで形成されており、樋支持具本体１０の係合部１１，１１間の幅寸法ａ１より小さく形成されている。樋支持具本体１０を取り付けるときは、図２（ｂ）に示すように、固定部２０に幅方向外側に向けて力を加えると、固定部２０はバネ性を有する板材からなっているので、側壁部２０ａが弾性変形し、開口２２がｓ２の大きさまで広がる。このｓ２は、樋支持具本体１０の幅寸法ａ１より大きくなるので、固定部２０内に樋支持具本体１０を収容させることが可能となる。
【００２１】
なお、固定部２０がバネ性を有していなくてもよい。その場合には、図２（ｃ）に示すように、樋支持具本体１０を約９０度横に回転させて開口２２から挿入させる。樋支持具本体１０を形成する線状材の径は、固定部２０の開口２２の幅ｓ１より小さいので、固定部２０内に樋支持具本体１０を収容させることができる。そして、固定部２０内で挿入前の回転とは逆方向に樋支持具本体１０を回転させる。このとき、固定部２０内に樋支持具本体１０の係合部１１の凸部１１ａがあるときには、樋支持具本体１０を回転させる際に凸部１１ａが固定部２０の側壁部２０ａと干渉して回転できないことがある。その場合は、図２（ｄ）に示すように、樋支持具本体１０の係合部１１が内側に引っ込むように、樋支持具本体１０に外力を加えてひずませることで、樋支持具本体１０の係合部１１，１１間の寸法がａ２まで小さくなり、側壁部２０ａとの干渉を回避し回転させることができる。これにより、樋支持具本体１０を固定部２０に取り付けられる。
【００２２】
なお、樋支持具本体１０、固定部２０、取付足部３０は、製造現場等であらかじめ組み付けておいてもよい。そのようにすれば、施工現場での作業員の作業を減らすことができる。また、固定部２０に樋支持具本体１０を取り付ける方法は上述した方法に限定されない。例えば、固定部２０の前後の開口から、樋支持具本体１０を挿入させることで取り付けてもよい。
【００２３】
固定部２０の高さ寸法は、樋支持具本体１０を固定部２０に固定したときに、樋支持具本体１０が取付足部３０に干渉しないような寸法であればよい（図３（ａ）参照）。樋支持具本体１０の後耳保持部１３の上辺部１３ｂが、取付足部３０の連結片部３２より下方に位置するように構成されていれば、軒樋５を取り付ける際に、耳部５ｂが連結片部３２に接触することを防止することができる。
【００２４】
次に、樋支持具本体１０の前後方向の位置調整について説明する。
図３（ｂ）に示すように、樋支持具本体１０の係合部１１の凸部１１ａが、固定部２０の係合部２１に係合されており、樋支持具本体１０の前後方向の移動が阻止されたロック状態となっている。この状態では、樋支持具本体１０の前後方向の位置調整は阻止されているので、樋支持具本体１０に幅方向内側に向けて外力を加えると、樋支持具本体１０は、バネ性を有する線状材で形成されているので、図３（ｃ）に示すように、樋支持具本体１０が幅方向内側に向けて弾性変形する。このとき、樋支持具本体１０の係合部１１，１１間の幅寸法が、固定部２０の側壁部２０ａ，２０ａ間の内幅寸法ｂより小さいａ２となる。これにより、係合部１１の凸部１１ａと固定部２０の係合部２１との係合が解除される。この状態を維持することによって、図３（ｄ）に示すような、樋支持具本体１０を前後方向に移動させることができる。樋支持具本体１０の位置を決定したならば、樋支持具本体１０の幅方向内側の外力を解除することによって、弾性変形した状態から初期状態に復帰し、図３（ｅ）に示すように、樋支持具本体１０の係合部１１の凸部１１ａが、固定部２０の係合部２１に係合され、再び樋支持具本体１０の前後方向の移動が阻止されたロック状態となる。
【００２５】
本実施形態では、樋支持具本体１０の係合部１１に複数の凸部１１ａが形成されていることにより、段階的に前後方向の位置を調整することが可能となっている。そのため、軒先４等に取り付けている複数の軒樋支持具１の樋支持具本体１０の出具合を同一にするのが容易となり、軒樋５の軒樋支持具１への取付が容易になる。
【００２６】
次に、軒樋５の取り付け方法について説明する。
軒樋支持具１を軒先４等に固定した後、軒樋５を軒樋支持具１に取り付ける。軒樋５の耳部５ａを前耳保持部１２の係止部１２ａに係止させた後、図４（ａ）に示すように、軒樋５の耳部５ｂを樋支持具本体１０の後耳保持部１３の下方から押し付けるように挿入する。これにより、図４（ｂ）に示すように、保持片部１５は、耳部５ｂにひっかかり、その根元から後方に弾性変形する。その後、図４（ｃ）に示すように、耳部５ｂが耳部収容空間１４に収容されると、保持片部１５は、耳部５ｂとの引っ掛かりが外れる。保持片部１５は、バネ性があるので図４（ａ）の初期状態に復元しようとするので、図４（ｄ）に示すように保持片部１５は復帰状態となり、耳部５ｂが保持片部１５から脱落しにくくなる。また、保持片部１５は前方に向けて上り傾斜した形状で折曲形成されているので、挿入時には軒樋５の耳部５ｂが挿入されやすくなっている。
【００２７】
保持片部１５の前後方向の長さは、図４（ｃ）に示すように、耳部５ｂの上面が樋支持具本体１０の上辺部１３ｂに接触するまで、もしくは接触した際に、耳部５ｂとのひっかかりが外れ、また、耳部５ｂが脱落しない程度の間隙ｗが形成される寸法に形成されている。
【００２８】
本実施形態では、図４（ａ）〜（ｄ）のように保持片部１５が弾性変形して耳部５ｂが後耳保持部１３に保持されるが、これに限定されることはない。例えば保持片部１５は、後耳保持部１３の外方側片部１３ｃとともに、バネ性を有したものとしてもよい。このようにすれば、図４（ｅ）に示すように、保持片部１５は、耳部５ｂにひっかかり、外方側片部１３ｃとともに、後方に弾性変形する。また、バネ性を高めるために線状材の径を小さくしてもよい。また例えば、図４（ｆ）に示すように、保持片部１５は、線状材を前後方向に一周以上回転させて、保持片部１５の先端が前後方向内方を向くように折曲形成されてもよい。これにより、保持片部１５のバネ性を調整することができる。
【００２９】
他の実施形態について説明する。なお、図１の実施形態と共通する部分の説明については省略する。
【００３０】
図５（ａ），（ｂ）の実施形態について説明する。
本実施形態の固定部２０は、係合部２１が、図１の実施形態と異なり貫通孔ではない複数の逆Ｕ字状の凹部により構成されている。係合部２１に樋支持具本体１０の係合部１１の凸部１１ａが係合されることによって樋支持具本体１０は固定され、樋支持具本体１０の前後方向の移動が阻止されたロック状態となる。本実施形態では、固定部２０の係合部２１から樋支持具本体１０の係合部１１の凸部１１ａが突き出さないので外観が良好となる。
【００３１】
次に、図５（ｃ），（ｄ）の実施形態について説明する。
本実施形態の樋支持具本体１０は、係合部１１が、幅方向内側に凹む複数の凹部１１ｂが等間隔に形成された構成となっている。また、固定部２０には、高さ方向に直立する板状の複数の係合部２１が、幅方向内側に突出して形成されている。つまり、本実施形態では、固定部２０の係合部２１が凸部となっている。固定部２０の係合部２１が、樋支持具本体１０の係合部１１に係合することによって、樋支持具本体１０の前後方向の移動が阻止されたロック状態となる。
【００３２】
続いて、図５（ｅ），（ｆ）の実施形態について説明する。
この樋支持具本体１０は、平面視して波打つようになだらかに湾曲した係合部１１の凸部１１ａが複数形成されている。図５（ｆ）に示すように樋支持具本体１０に前後方向の力を加えると、樋支持具本体１０の係合部１１の凸部１１ａは、固定部２０の係合部２１と接触している部位から幅方向内側に変形し、前後方向の位置調整が可能となる。つまりこの実施形態では、樋支持具本体１０に幅方向内側に外力を加えて変形させなくても、前後方向に移動させるための力を加えるだけで、樋支持具本体１０は前後方向に位置調整させることが可能である。なお、上述の説明では、樋支持具本体１０に幅方向内側に外力を加えないとしたが別に外力を加えて変形させてもよい。また、固定部２０の係合部２１の樋支持具本体１０の係合部１１と接触する部位は、樋支持具本体１０の係合部２１が滑らかに変形するように、平面視して滑らかな曲線や傾斜して形成されることが望ましい。なお、本実施形態の固定部２０の係合部２１は、図１の実施形態と同様に、側壁部２０ａに開設された貫通孔となっているが、これに限定されることは無い。また、樋支持具本体１０の係合部１１も、凹部１１ｂが形成されてもよい。
【００３３】
図６（ａ），（ｂ）の実施形態について説明する。
本実施形態の固定部２０には、係合部２１の上方に、固定部２０の前後寸法と略同じ長さ寸法で形成されている板状のストッパー部２３が設けられている。上述の各実施形態では、樋支持具本体１０の係合部１１と固定部２０の係合部２１とが相互に係合しているだけなので、下方から上方に軒樋５を持ち上げて樋支持具本体１０に取り付ける際、樋支持具本体１０が軒樋５を取り付ける力に耐え切れず、固定部２０から外れるおそれがあった。しかしながら、本実施形態では、固定部２０のストッパー部２３が係合部２１の上方に設けられていることによって、樋支持具本体１０が上方向に移動するのを阻止するので、軒樋５を取り付ける際に固定部２０から樋支持具本体１０が外れることを防止することができる。
【００３４】
次に、図６（ｃ）の実施形態について説明する。
本実施形態の固定部２０は、図６（ｃ）に示すように、側壁部２０ａの下端が、幅方向外側に突き出るように丸められることによって保持部２０ｂが形成されている。保持部２０ｂには、貫通孔である係合部２１が形成されている。また、樋支持具本体１０が保持部２０ｂに収容されるように一部が開口されている。これにより、保持部２０ｂは、樋支持具本体１０を包み込むように保持することができる。また、保持部２０ｂの上辺部２０ｂａは、ストッパー部２３としての効果を有するので、軒樋５を樋支持具本体１０に取り付ける際に、樋支持具本体１０が固定部２０から外れるのを阻止することが可能である。
【００３５】
図６（ｄ）の実施形態について説明する。
本実施形態は、図５（ｃ），（ｄ）の実施形態に、ストッパー部２３が設けられたものである。つまり凸部である係合部２１の上方に、図６（ａ）のような固定部２０の前後寸法と略同じ長さ寸法で形成されている板状のストッパー部２３が設けられている。
【００３６】
上述した各実施形態では、樋支持具本体１０の係合部１１の凸部１１ａ又は凹部１１ｂと、固定部２０の係合部２１とがどちらも複数形成されているがこれに限定されることは無い。例えば、固定部２０に複数の係合部２１が形成されていれば、樋支持具本体１０の係合部１１は一つ（若しくは左右１組）しか形成されてなくても、段階的な前後方向の位置調整が可能である。また、凸部１１ａや凹部１１ｂの形状も上述した実施形態に限定されることは無い。
【００３７】
また、上述した各実施形態では、樋支持具本体１０の係合部１１は、凸部１１ａか凹部１１ｂかどちらかしか形成されていないが、両方形成されてもよい。また、固定部２０の係合部２１もそれに合わせて、凸形状の係合部２１と凹部若しくは貫通孔の係合部２１が形成されてもよい。
【００３８】
さらに、樋支持具本体１０の前耳保持部１２と後耳保持部１３の形状も、上述した実施形態に限定されることは無い。例えば、前耳保持部１２が、後耳保持部１３のように、下方が開放された逆Ｕ字状に折曲形成されることで耳部５ａを収容する耳部収容空間１４を有しており、さらに耳部収容空間１４の下方において、前後方向内方を向くよう折曲形成されたバネ性を有する保持片部１５を有していてもよい。
【００３９】
そして、固定部２０や取付足部３０も上述した各実施形態に限定されることは無い。固定部２０内に樋支持具本体１０が収容されるのであれば、下方が開口していなくてもよい。また、取付足部３０は上述した実施形態に限定されることは無く、たとえば、屋根等から吊り下げる吊りボルト式のものであってもよい。また、各実施形態では固定部２０と取付足部３０は別体で形成されているが、一体に形成されてもよい。
【符号の説明】
【００４０】
１              軒樋支持具
１０            樋支持具本体
１１            係合部
１１ａ          凸部
１１ｂ          凹部
１２            前耳保持部
１３            後耳保持部
２０            固定部
２１            係合部
３０            取付足部
４              軒先
５              軒樋
５ａ，５ｂ      耳部
【図１】
2020007731.tif 000003
【図２】
2020007731.tif 000004
【図３】
2020007731.tif 000005
【図４】
2020007731.tif 000006
【図５】
2020007731.tif 000007
【図６】
2020007731.tif 000008